(57)【要約】【課題】迅速に救護の優先順位を表示しつつ、その優先順位に関する情報を集約させること。【解決手段】救護の優先順位を示す複数の表示色のうち少なくとも１つを表示する表示部であって、操作者の操作によって前記表示色を変更可能な表示部と、前記表示部により表示される表示色に対応した信号を無線により送信する送信部と、を備える電子トリアージタグ。送信部は更に、電子トリアージタグの識別情報を送信するように制御されてもよい。【選択図】図１
2015185148.tif 000002
【特許請求の範囲】
【請求項１】
救護の優先順位を示す複数の表示色のうち少なくとも１つを表示する表示部であって、操作者の操作によって前記表示色を変更可能な表示部と、
前記表示部により表示される表示色に対応した信号を無線により送信する送信部と、
を備える電子トリアージタグ。
【請求項２】
前記送信部は、前記前記表示部により表示される表示色に対応した信号と共に、自装置の識別情報を無線により送信する、
請求項１記載の電子トリアージタグ。
【請求項３】
前記送信部は、前記操作者の操作によって、前記送信する動作を行うか、停止するかを切り替える、
請求項１または２記載の電子トリアージタグ。
【請求項４】
筐体を備え、
前記表示部は、前記筐体の第１面と前記第１面に対向する第２面との間において、前記筐体に対して前記第１面と前記第２面の双方に直交する軸を中心に回動可能に支持された円盤部材と、前記筐体に設けられた窓部であって、前記円盤部材の平面部の一部を前記筐体の外から視認させる窓部と、を有し、
前記円盤部材は、前記窓部に対向する面に前記救護の優先順位を示す複数の表示色が着色されており、前記筐体における前記第１面と前記第２面に略直交する側面に設けられた孔部から一部が突出し、前記突出する部位を前記操作者が操作することで回動して前記窓部から視認される表示色を変更する、
請求項１から３のうちいずれか１項記載の電子トリアージタグ。
【請求項５】
請求項１から４のうちいずれか１項記載の電子トリアージタグと、
前記送信部から前記信号を受信可能な通信装置と、
を備える電子トリアージシステム。
【請求項６】
請求項５記載の電子トリアージシステムと、
前記通信装置からネットワークを介して前記信号に基づく情報を受信し、前記受信した情報に基づいて、前記ネットワークを介して他装置に情報提供するサーバ装置と、
を備えるトリアージ情報共有システム。
【発明の詳細な説明】
【技術分野】
【０００１】
本発明は、電子トリアージタグ、電子トリアージシステム、およびトリアージ情報共有システムに関する。
【背景技術】
【０００２】
救急医療の現場において、救護の優先順位を色で示すトリアージタグが使用される場合がある。トリアージタグは、傷病者の身体等に取り付けられ、医療従事者がその色を見て優先順位を判断する。
【０００３】
これに関連し、傷病者の生体情報の取得、生体情報の発信、及び傷病者と医療従事者との相対位置推定に用いる位置推定用情報の送受信を実施可能な電子トリアージタグと、生体情報の受信、及び医療従事者との傷病者の相対位置推定に用いる位置推定用情報の送受信、および位置推定計算を実施可能な医療従事者用端末と、電子トリアージタグ及び医療従事者用端末と少なくとも位置推定用情報を送受信する基地局と、を備える電子トリアージシステムが知られている（例えば、特許文献１参照）。
【０００４】
また、傷病者に付されるトリアージタグと、傷病者の症状データを入力されてその症状レベルを判定した後、トリアージタグに症状レベルのデータを送信するスマートフォンと、このスマートフォンから傷病者の前記症状レベルデータを、ネットワークを介して受信し、トリアージタグが付された傷病者毎に記憶する傷病者情報データベースと、を備え、スマートフォンは、傷病者情報データベースに傷病者の症状レベルデータを送信できないとき、この症状レベルデータを一時的に記憶する一時記憶部を備えることを特徴とするトリアージタグ管理システムが知られている（例えば、特許文献２参照）。
【０００５】
また、傷病者に装着する固有の識別コードを持つ電子タグと電子タグの識別コードを読み取る機能を有するネットワークに接続された端末とネットワークに接続されたデータベースで構成し、識別コードと傷病者の状態を端末からネットワークに接続されたデータベースに入力し、別途入力した治療体制と傷病者の状態を併せて評価することで治療の順番とスケジュールを決定するトリアージタグ管理システムが知られている（例えば、特許文献３参照）。
【先行技術文献】
【特許文献】
【０００６】
【特許文献１】特許第５２０７４９５号公報
【特許文献２】特開２０１３−０５０８９４号公報
【特許文献３】特開２００４−２４０７９７号公報
【発明の概要】
【発明が解決しようとする課題】
【０００７】
従来のトリアージタグは、紙などの媒体で作られていた。そのため、救急隊員は、電話で救急病院に問い合わせをし、傷病者の症状を口頭で伝えることによって搬送先を決定しており、傷病者情報の伝達に時間がかかるという課題があった。また、救急および災害医療では、救急病院はできるだけ多くの人命を救うために治療薬や解毒剤などの資源管理を行う必要があるが、救急隊から電話で伝えられる情報では、総傷病者数の把握が難しかった。
【０００８】
また、各特許文献に記載の技術では、迅速に救護の優先順位を表示しつつ、その優先順位に関する情報を集約させることが困難であった。特許文献１に記載のシステムでは、迅速に救護の優先順位を表示することができない。また、生体情報を得るための各種医療センサや位置情報を推定するためのセンサを搭載するなど多機能としているため、装置やシステムのコストが高いものとなる。特許文献２に記載のシステムでは、操作者が傷病者の症状データを入力する必要があり、迅速に救護の優先順位を表示することができない。特許文献３に記載のシステムも同様に、操作者が識別コードと傷病者の状態を端末に入力する必要があり、迅速に救護の優先順位を表示することができない。
【０００９】
本発明は、このような事情を考慮してなされたものであり、迅速に救護の優先順位を表示しつつ、その優先順位に関する情報を集約させることを目的の一つとする。
【課題を解決するための手段】
【００１０】
本発明の一態様は、救護の優先順位を示す複数の表示色のうち少なくとも１つを表示する表示部であって、操作者の操作によって前記表示色を変更可能な表示部と、前記表示部により表示される表示色に対応した信号を無線により送信する送信部と、を備える電子トリアージタグである。
【発明の効果】
【００１１】
本発明の一態様によれば、救護の優先順位を示す複数の表示色のうち少なくとも１つを表示する表示部であって、操作者の操作によって前記表示色を変更可能な表示部と、前記表示部により表示される表示色に対応した信号を無線により送信する送信部と、を備えるため、迅速に救護の優先順位を表示しつつ、その優先順位に関する情報を集約させることができる。
【図面の簡単な説明】
【００１２】
【図１】電子トリアージタグ１００を利用した電子トリアージシステム１０、並びにトリアージ情報共有システム１の構成を模式的に示す図である。
【図２】電子トリアージタグ１００の外観構成の一例を示す図である。
【図３】電子トリアージタグ１００の内部構成の一例を示す図である。
【図４】電子トリアージタグ１００の機能構成の一例を示す図である。
【図５】電子トリアージタグ１００の状態例を示す図である。
【図６】変形例に係る電子トリアージタグ１００Ａの外観構成の一例を示す図である。
【図７】変形例に係る電子トリアージタグ１００Ａの内部構成の一例を示す図である。
【発明を実施するための形態】
【００１３】
以下、図面を参照し、本発明の電子トリアージタグ、電子トリアージシステム、およびトリアージ情報共有システムの実施形態について説明する。
【００１４】
図１は、電子トリアージタグ１００を利用した電子トリアージシステム１０、並びにトリアージ情報共有システム１の構成を模式的に示す図である。トリアージ情報共有システム１は、センターサーバ５と、通信装置２０と、１以上の電子トリアージタグ１００―１、１００―２、１００―３、‥とを含む。また、電子トリアージシステム１０は、通信装置２０と、１以上の電子トリアージタグ１００―１、１００―２、１００―３、‥とを含む。以下、いずれの電子トリアージタグであるかを区別しないときは、単に電子トリアージタグ１００と表記する。
【００１５】
センターサーバ５は、医療機関や公共機関などによって運用されるサーバ装置である。センターサーバ５は、インターネットやＬＡＮ（Local  Area  Network）等を含むネットワークＮＷを介して通信装置２０と通信を行うことができる。
【００１６】
通信装置２０は、例えば、救急隊員Ｒによって使用される携帯電話やタブレット端末、ノートパソコン等の通信可能なコンピュータ装置に、専用のアプリケーションプログラムがインストールされたものである。また、通信装置２０は、電子トリアージシステム１０のための専用装置であってもよい。通信装置２０は、上記のようにセンターサーバ５と通信を行う他、Ｂｌｕｅｔｏｏｔｈ（登録商標）等の近距離無線通信規格に基づいて、電子トリアージタグ１００と通信を行う。
【００１７】
電子トリアージタグ１００―１、１００―２、１００―３、‥は、救急隊員Ｒによって、それぞれ傷病者Ｉ―１、Ｉ―２、Ｉ―３、‥に取り付けられる。以下、いずれの傷病者であるかを区別しないときは、単に傷病者Ｉと表記する。
【００１８】
傷病者Ｉに取り付けられた電子トリアージタグ１００は、救急隊員Ｒによって選択された色をトリアージカテゴリーとして表示すると共に、表示しているトリアージカテゴリーに対応した信号と、電子トリアージタグ１００の識別情報（以下、タグＩＤと称する）とを通信装置２０に送信する。
【００１９】
通信装置２０は、電子トリアージタグ１００から受信した、１以上のタグＩＤとトリアージカテゴリーの組に、通信装置２０を使用する救急隊員Ｒの識別情報（隊員ＩＤ）と、通信装置２０の位置情報とを加えて、センターサーバ５に送信する。センターサーバ５は、通信装置２０から受信した情報に基づいて、例えばトリアージカテゴリーごとの傷病者の数といった集計情報を生成し、通信装置２０に送信する。救急隊員Ｒは、センターサーバ５から受信した情報に基づいて、例えば受け入れ先の病院と連絡をとり、薬品や医療機材の配置などに役立てることができる。また、センターサーバ５が生成する情報は、病院などから検索可能となるように、インターネット等を介して種々のコンピュータ装置に提供されてもよい。
【００２０】
以下、電子トリアージタグ１００の構成および機能について説明する。図２は、電子トリアージタグ１００の外観構成の一例を示す図である。電子トリアージタグ１００は、例えば略立方体の筐体１１０を備える。筐体１１０の第１面（表面）Ｓ１には、パイロットランプ１１２と、表示部１２０を構成する窓部１２２とが設けられている。パイロットランプ１１２は、電子トリアージタグ１００の状態（例えば、情報発信中、待機中、電池切れなど）を、それぞれに対応した色で発光して表示する。電子トリアージタグ１００は、図示しないベルトやクリップなどによって、傷病者Ｉの腕などに装着される。また、電子トリアージタグ１００は、図示しないクリップなどによって、既存の紙媒体によるトリアージタグに取り付けられてもよい。
【００２１】
筐体１１０の第１面Ｓ１と第２面（裏面）Ｓ２に略直交する側面Ｓ３には、孔部１２４が設けられており、円盤部材１２６が孔部１２４から突出することで、ダイヤルスイッチとして機能するようになっている。図３は、電子トリアージタグ１００の内部構成の一例を示す図である。円盤部材１２６は、第１面Ｓ１と第２面Ｓ２との間に挟まれ、第１面Ｓ１と第２面Ｓ２の双方に直交する軸ＡＸを中心に回動可能に支持される。また、円盤部材１２６の第１面Ｓ１側の面には、着色部１２６Ａが設けられており、円盤部材１２６の回転角に応じた色が窓部１２２を介して外部に視認可能となる。着色部１２６Ａは、例えば、緑、黄、赤、黒の４色、或いは緑、黄、赤、青、黒の５色で色剤が塗布されている。救急隊員Ｒは、円盤部材１２６の孔部１２４から突出した部分を操作することで円盤部材１２６を回転させ、窓部１２２から視認される色（電子トリアージタグ１００の表示色）を切り替えることができる。
【００２２】
図４は、電子トリアージタグ１００の機能構成の一例を示す図である。電子トリアージタグ１００は、図２、３に示す構成に加えて、回転角検出部１３０と、制御部１４０と、送信部１５０とを備える。また、電子トリアージタグ１００は、図示しないボタン電池等が装着されることにより電力供給を行う電源部を備えてよい。回転角検出部１３０は、例えばロータリーエンコーダであり、円盤部材１２６の回転角を認識可能な情報を、制御部１４０に出力する。なお、回転角検出部１３０は、電子トリアージタグ１００の表示色を直接的に認識可能な情報を、制御部１４０に出力するものであってよい。
【００２３】
制御部１４０は、例えばマイクロコンピュータである。制御部１４０は、回転角検出部１３０から入力された円盤部材１２６の回転角に基づいて、電子トリアージタグ１００の表示色を認識する。また、制御部１４０は、認識した表示色を示す信号を、タグＩＤと共に送信するように送信部１５０を制御する。送信部１５０は、例えば、Ｂｌｕｅｔｏｏｔｈ  Ｌｏｗ  Ｅｎｅｒｇｙ仕様で定められるアドバタイズパケット内に、表示色を示す情報を埋め込んで送信する。更に、制御部１４０は、電子トリアージタグ１００の状態に応じた色で発光するようにパイロットランプ１１２を制御する。
【００２４】
これによって、救急隊員Ｒは、ダイヤルスイッチを操作して表示色を調整した電子トリアージタグ１００を傷病者Ｉに取り付けるという簡易な操作のみで、迅速に救護の優先順位を表示させることができる。また、電子トリアージタグ１００は、表示色に対応した信号を送信部１５０によって送信するため、救護の優先順位に関する情報を、通信装置２０やセンターサーバ５において集約させることができる。
【００２５】
円盤部材１２６は、電子トリアージタグ１００のオン・オフ（情報送信の可否）を指示するためのスイッチを兼ねてもよい。図５（Ａ）は、円盤部材１２６が時計回りに限界まで回動された状態を示す図である。図５（Ａ）に示す状態では、図示しないストッパ機構が作動し、円盤部材１２６が、これ以上時計回りに回動しないようになっている。一方、図５（Ｂ）は円盤部材１２６が反時計回りに限界まで回動された状態を示す図である。制御部１４０は、図５（Ｂ）に示す状態よりも円盤部材１２６が若干、時計回りに回動された角度を跨いで、円盤部材１２６が反時計回りに回動されると電子トリアージタグ１００の情報送信を停止し、円盤部材１２６が時計回りに回動されると電子トリアージタグ１００の情報送信を開始するように制御する。これによって、オン・オフを指示するための専用スイッチを省略することができ、コストや重量を低減することができる。
【００２６】
以上説明した電子トリアージタグ１００、電子トリアージシステム１０、およびトリアージ情報共有システム１によれば、迅速に救護の優先順位を表示しつつ、その優先順位に関する情報を集約させることができる。
【００２７】
以上、本発明を実施するための形態について実施形態を用いて説明したが、本発明はこうした実施形態に何等限定されるものではなく、本発明の要旨を逸脱しない範囲内において種々の変形及び置換を加えることができる。
【００２８】
例えば、電子トリアージタグ１００が表示色を変更する仕組みは、上記実施形態のものに限定されず、種々の仕組みを採用することができる。図６は、変形例に係る電子トリアージタグ１００Ａの外観構成の一例を示す図であり、図７は、変形例に係る電子トリアージタグ１００Ａの内部構成の一例を示す図である。この構成において、電子トリアージタグ１００Ａは、側面Ｓ３に設けられた孔部１６４から突出するつまみ１６２を備える。つまみ１６２は、スライド板１６０に接続され、またはスライド板１６０と一体に形成される。救急隊員Ｒは、スライド板１６０のつまみ１６２をＹ方向に操作することで、スライド板１６０をＹ方向に移動させ、窓部１２２を介して視認される表示色を変更することができる。また、この構成において、電子トリアージタグ１００Ａは、回転角検出部１３０に代えて、スライド板１６０のＹ方向の変位を検出可能な「変位検出部」を備え、制御部１４０は、スライド板１６０のＹ方向の変位に基づいて、電子トリアージタグ１００Ａの表示色を認識する。
【００２９】
また、図６、７の仕組みに限らず、電子トリアージタグ１００は、ボタンを押す毎に表示色が切り替わる機構を備えてもよいし、液晶表示装置や有機ＥＬ（Electroluminescence）表示装置等を備え、電子的に表示色を切り替えるものであってもよい。
【符号の説明】
【００３０】
１      トリアージ情報共有システム
５      センターサーバ
１０    電子トリアージシステム
２０    通信装置
１００  電子トリアージタグ
１１０  筐体
１１２  パイロットランプ
１２０  表示部
１２２  窓部
１２４  孔部
１２６  円盤部材
１２６Ａ  着色部
１３０  回転角検出部
１４０  制御部
１５０  送信部
１６０  スライド板
１６２  つまみ
１６４  孔部
【図１】
2015185148.tif 000003
【図２】
2015185148.tif 000004
【図３】
2015185148.tif 000005
【図４】
2015185148.tif 000006
【図５】
2015185148.tif 000007
【図６】
2015185148.tif 000008
【図７】
2015185148.tif 000009